(57)【要約】【課題】屋内で猫を飼うにあたって、人と猫の双方に好ましい住環境を与える。【解決手段】屋内で猫を飼うのに、壁、ドア、間仕切り等によって区切られた室内において、人が日常生活であまり使用しない頭上の空間を、猫がその中を通過できる、及び／又は、その上を移動できる器具を組み合わせて、壁面、間仕切り、及び／又は窓際に沿って壁面、枠、天井等から固定することによって猫に提供する、猫の遊び場、及び／又は通路に関してであり、さらには、同様にして隣室等に設ける、猫の遊び場、及び／又は通路との間を、壁面等に猫の通路を設けることによって、猫が自由に移動できることで、飼い主と猫の双方に好ましい住環境を提供する。【特許請求の範囲】
【請求項１】
猫の体重を支えうる強度を持つ、中空の成型物であって、正面が素通し、又は隙間を空けてあり、中を猫が通過できることを特徴とする器具を組み合わせて、屋内において、床面から少なくとも１８０ｃｍの高さの位置で、壁面、間仕切り、及び／又は窓際に沿って、壁面、枠、天井等から固定することを特徴とする、猫の遊び場、及び／又は通路。
【請求項２】
猫の体重を支えうる強度を持つ棒状、又は板状の成型物であって、猫がその上を移動できることを特徴とする器具を組み合わせて、及び〔請求項１〕の器具と組み合わせて、屋内において、床面から少なくとも１８０ｃｍの高さの位置で、壁面、間仕切り、及び／又は窓際に沿って、壁面、枠、天井等から固定することを特徴とする、猫の遊び場、及び／又は通路。
【請求項３】
〔請求項１〕または、〔請求項２〕の、猫の遊び場、及び／又は通路と組み合わせることを特徴とする、床面との間の猫の昇降器具。
【請求項４】
〔請求項１〕〜〔請求項３〕の内、少なくとも２項を満たした、壁等を隔てて隣り合った部屋、及び／又は廊下を連絡する猫の通路。
【請求項５】
〔請求項１〕〜〔請求項４〕の内、少なくとも２項を満たした、猫の遊び場、及び／又は通路を備えた戸建住宅、または集合住宅。
【発明の詳細な説明】
【０００１】本発明は、屋内で猫を飼う場合の、猫の運動不足を解消し、かつ、猫が安心して行動できる空間として、人が日常生活であまり使用しない、頭上の空間を猫に提供することで、人と猫が共に、楽しく快適に、一緒に暮せる屋内空間の構築を目的と、して、鋭意検討をおこなった結果、完成に至ったものである。猫はバランス感覚の優れた動物で、足を安定して乗せる幅さえ確保されていれば、容易にその上を移動していくことができることが観察される。また、部屋内の壁面、間仕切り、窓等に沿って足場を設置してやると、好んでその上で遊ぶことが観察される。さらには、犬に襲われたときなど、危険が迫ったときは、犬が上ってこられない樹上等の高所に逃げ込むことが、しばしば観察される。その他諸々の、猫の行動に関しての観察結果から、屋内でも、猫が好んで遊び廻ることのできる空間を提供できることに思い至り、本発明の完成に至ったものである。
【発明の属する技術分野】
【０００２】本発明は、屋内における、猫の遊び場、及び／又は通路に属する。また、猫の遊び場、及び／又は通路を構成する器具に関する。
【従来の技術】
【０００３】近年は、犬や猫などのペットを飼うことが認められた集合住宅も増えてきて、愛猫家にとって、好ましい状況になりつつある。戸建住宅に住む猫の飼い主であっても、集合住宅に住む猫の飼い主であっても、猫をできるだけ屋外で、自由に遊ばせてやりたいのが、一般的な心情であるが、一方、猫を屋外で飼うことで発生する諸問題、例えば交通事故に遭ったり、犬に襲われたりして、死に至る場合もあり、さらには、猫同士の喧嘩による怪我や病気の伝染が心配される。高価な猫の場合は、猫を盗まれることさえもある。屋内で飼う分には、この様な諸問題に関しては、飼い主にとっては安心であるが、一方、猫にとっては変化の少ない、ストレスの溜まり易い環境となる。屋内で猫を飼う場合の飼い主の悩みの一つは、猫が運動不足になり易いことである。そして、運動不足から来る、ストレスの蓄積、肥満、病気等の種々の問題が発生しやすい。本発明者は、屋内で猫を飼う場合のこれらの諸問題を解決するために、運動不足を解消できるような器具を捜したが、猫じゃらしや、玉等の、所謂、小物グッズや、単品の木登り玩具や、それらを接続させたような物しか見出すことができなかった。本発明者が猫を観察してきて得られた見解では、これらは実に不十分であり、猫の運動不足とストレスの蓄積を、充分には解消するには至らないものであると考えられた。
【発明が解決しようとする課題】
【０００４】本発明者は、屋内で猫を飼う場合の、猫の運動不足とストレスの蓄積等の問題を解決するために、また、飼い主と猫の双方に好ましい環境を提供すべく、鋭意検討をおこなった結果、本発明の完成に至ったものである。
【課題を解決するための手段】
【０００５】本発明である、猫の遊び場、及び／又は通路は、屋内において、床面から少なくとも１８０ｃｍの高さの位置で、壁面、間仕切り、及び／又は窓際に沿って固定する、それぞれを単品で見れば、１．猫が中を通り抜けることのできる器具、２．猫が、その上を移動することのできる器具、を任意に組み合わせてなることを特徴としている。そして、３．床面との間の昇降器具、４．隣部屋、及び／又は廊下に沿って、同様に設置した器具との間を連絡する通路、によって、壁、間仕切り、ドア等によって遮られることなく、行き来ができることを特徴としている。また、器具の組み合わせのみでなく、クローゼット、箪笥等の上部も一緒に組み合わせても差し支えない。なお、ここで言う組み合わせるとは、必ずしも器具と器具とを繋ぎ合わせることではなく、猫が跳ぶなどの動作で移ることができることをも意味しており猫が渡ることの出来る間隔をあけて設置しても良い。例えば、破線状、鎖線状に設置するといった具合である。また、壁面、間仕切り、及び／又は窓際に沿って固定した猫の遊び場、及び／又は通路の、ショートカット通路を設けることもできる。
【０００６】本発明について、より詳細に説明する。猫が、その中を通過できる中空の器具は、部屋の壁面、間仕切り、及び／又は窓際に沿って、壁面、枠、天井等から固定する、猫の体重を支えることのできる強度を持つ中空の成型物であって、正面が素通し、又は隙間を空けてあり、猫が中を通過できることを特徴とする、木、紙、織布、不織布、プラスチック類、金属類、ガラス等を加工してなる器具である。壁面、枠、天井等からの固定は、例えば、棚、手すり、カーテンレール、照明器具等を取り付ける際に用いられる、公知の方法で良い。プラスチック類を用いた器具は透明、半透明、不透明のいずれでも良く、着色顔料、染料等によって着色しても良い。また、ブレンド等により艶をおさえたり、メタリック調仕上げや、花崗岩や大理石模様等にするのも良い。さらには、塗装、メッキ、ホットスタンプ等の２次加工を施しても良い。プラスチックの種類は、例えば、ポリエチレン、ポリプロピレン、ポリアミド、ポリスチレン、ＡＢＳ、ＰＭＭＡ、ポリ塩化ビニール樹脂、ポリカーボネート樹脂、ポリウレタン系樹脂、フェノール樹脂、メラミン樹脂、不飽和ポリエステル樹脂、及びガラス繊維などの補強材を組み合わせたもの等を用いることができる。木製の器具は、白木のまま用いても良いし、塗装を施しても良い。金属は、例えば、鉄、鉄合金、ブリキ、トタン、アルミ、アルミ合金等を用いることができ、塗装を施しても良い。器具の正面形状は、正方形、長方形、台形、多角形、円形、半円形、楕円形、半楕円形、及び不定形等のいずれでも良い。側面、及び上面の形状は、直線状であることに拘らず、Ｓ字状、Ｚ次字状、波状等の変化を付けても差し支えない。また、猫の全身が完全に隠れてしまうと、飼い主が不安感を覚えることもあるので、側面に窓を開けるのも良い。透かし、レリーフ等の装飾を施しても良い。器具の正面の高さは１０〜５０ｃｍの範囲であり、好ましくは１５〜３０ｃｍである。　正面の横幅は５〜５０ｃｍの範囲であり、好ましくは１０〜３０ｃｍである。側面の長さは１０〜３６０ｃｍの範囲であり、好ましくは１５〜５０ｃｍである。
【０００７】猫がその上を通過できる器具は、部屋の壁面、間仕切り、及び／又は窓際に沿って、壁面、天井等から固定する、猫の体重を支えることのできる強度を持つ成型物であって、その上を猫が通過できる、棒状、または板状の器具であり、前述の、猫が中を通過できる器具と同じく、木、紙、織布、不織布、プラスチック類、金属類、ガラス等を加工してなる器具である。また、猫の体重を支えうる強度があれば良いので、中空であっても良く、スノコ状、あるいは梯子状であっても良い。壁面、枠、天井等からの固定は、例えば、棚、手すり、カーテンレール、照明器具等を取り付ける際に用いられる、公知の方法で良い。棒状の器具は、その断面形状には特に拘らないが、上部には、少なくとも幅１ｃｍ以上の平らな面にする方が、猫が安定して歩けるので好ましい。板状、スノコ状、あるいは梯子状の器具も、やはり、猫の体重を支えうる強度があれば良いので、厚さを特に限定するものではないが、１ｃｍ程度あれば、人が見た目に安定感があって好ましい。　幅は、１ｃｍ以上であれば、人が出っ張りに圧迫感を感じない範囲であれば、何ｃｍであっても差し支えはないが、好ましくは３〜１０ｃｍの範囲であり、猫の体側が、壁面、枠等と擦らないように、壁面、枠等からは少なくとも３ｃｍ以上離して取り付けたほうが、好ましい。長さは、棒状、板状、スノコ状、あるいは梯子状の器具の何れもが、部屋の端から端まで一本、または一枚を渡すこともあるが、通常は組み合わせて用いるので、２０〜１８０ｃｍの範囲が好ましい。
【０００８】猫の遊び場及び／又は通路への昇降器具は、猫が、床面から少なくとも１８０ｃｍの高さに設けた、猫の遊び場及び／又は通路と床面との間を昇降できる器具であり、主として、壁面に沿って固定する器具である。単品の木登り玩具や、それらを接続させた木登り玩具は、猫の遊び場兼インテリアとして、公知であるが、本発明においては、公知の木登り玩具とは異なり、昇降器具そのものが主たる猫の遊び場とはならず、前記の、床面から少なくとも１８０ｃｍの高さに設けた、猫の遊び場、及び／又は通路と組み合わせて、その目的を達するので、壁面等から１５ｃｍ以上出っ張らないもので良く、例えば、前記の、猫が通り抜けることのできる器具、及び／又は、猫がその上を移動することのできる器具を、違い棚状、あるいは階段状に設置しても良く、横幅が５〜１５ｃｍの梯子を、壁面に沿って固定しても良い。梯子の、踏み板と踏み板との間隔は１０〜３０ｃｍの範囲が好ましい。階段状の切れ込みを入れた棒状の器具であっても良い。公知の木登り玩具で代用しても差し支えない。
【０００９】複数の部屋、及び／または廊下に設けた、猫の遊び場及び／又は通路どうしを結びつける通路は、前記のようにして部屋毎に設置した器具を、床面から１８０ｃｍ以上の高さの壁面等に、猫が通れる大きさの通路を設けることで、相互に猫が行き来ができるようになる。連絡通路は、必要に応じて、扉、蓋等によって閉じることも出来る。
【００１０】
【発明の効果】かくして、猫の遊び場、及び／又は通路を設置した戸建住宅、または集合住宅においては、人と猫が互いに干渉されることなく、部屋と部屋、又は、部屋と廊下の間を行き来できる。また、猫には変化に富んだ、良い環境になり、運動不足も解消される。飼い主にとっても、猫が遊ぶ姿は、まことに好ましいものであり、心を和ませてくれる。
【発明の実施の形態】
【００１１】次に、実施例により、本発明をさらに具体的に説明するが、本発明は実施例により限定されるものではない。
【実施例】
【００１２】〔実施例１〕１５ｃｍ間隔に階段状の切れ込みを入れた直径７ｃｍの木製の丸棒を、傾斜角度６０°で、東側壁面から５ｃｍ離して、金属金具で取り付ける。床面から１８０ｃｍの高さの位置で、押入れの枠に達する。なお、棒には麻縄を巻きつけた。押入れの手前上部に、床面から底部までが１８０ｃｍの位置に、幅１０ｃｍ、厚さ１ｃｍ、長さ１７０ｃｍの木製の棚を取り付ける。これで、猫は、その上を通って南面の窓際に達することが出来る。南面する窓際には、厚さ５ｍｍのアクリル樹脂で出来た、幅１５ｃｍ、高さ２５ｃｍ、長さ３０ｃｍの中空の筒４個を、１０ｃｍ間隔で、窓に沿ってカーテンの手前に、天井から取り付ける。南面のエアコンを取り付けた壁に達する。エアコンの上部に、幅４ｃｍ、厚さ１ｃｍ、長さ８０ｃｍの木製の板２枚を、レール状に組み合わせて取り付ける。これで、猫は西面の壁に達することができる。西側の壁には直径５ｃｍで、長さ２００ｃｍの、上部を、３ｃｍの幅に平たく削った木製の丸棒を、壁面から５ｃｍ離して、棒の下部が床面から１８０ｃｍの高さに設置する。棒は、部屋の西北隅に置いた、幅１２０ｃｍ、奥行き６０ｃｍ、高さ１９０ｃｍのクローゼットの南側に達する。猫は、棒の上からクローゼットの上に容易に飛び移ることが出来、このクローゼットの上は、猫に取っての、居心地の良い片隅になった。北側の壁についても、西側の壁と同様に棒を取り付ける。東側の壁の未設置の部分にも、西側、北側と同様の棒を、最初に設置した木製の棚から２５ｃｍ距離を離して取り付ける。この間は猫は容易に飛び移ることが出来、こうして猫の遊び場、及び／又は通路は部屋の上部を一周する。
【００１３】〔実施例２〕前記の〔実施例１〕同様に、隣室にも猫の遊び場、及び／又は通路を設けた。そして、壁を隔てた器具と器具を連絡するのに、壁に縦２０ｃｍ、横１０ｃｍの通路を開け、その通路を通って、隣室に設けた猫の遊び場、及び／又は通路に移ることが出来るようにした。隣室に設置した猫の遊び場、及び／又は通路と、隣室の床面との昇降は、壁面に平行かつ、傾斜角度６０度に設置した、横幅１０ｃｍで、踏み板の幅が３ｃｍで、踏み板と踏み板の間隔が１５ｃｍのハシゴを、猫の遊び場及び／又は通路と、高さ６０ｃｍの家具の上面との間に架け、この間はハシゴを昇降して、また、家具の上面と床面との間は、跳んで昇降が出来るようにした。ハシゴの縦棒には麻縄を巻きつけた。